(57)【特許請求の範囲】
【請求項１】
利用者を撮影し、撮影画像を生成する撮影手段と、
前記撮影手段により生成された撮影画像に編集を施し、前記撮影画像に編集が施された編集画像を生成する編集手段と、
前記撮影手段により生成された複数の撮影画像のサムネイル画像の表示を制御する表示制御手段と、
前記表示制御手段により表示が制御されている複数の撮影画像のサムネイル画像のうち、編集対象となる撮影画像のサムネイル画像を選択する選択手段と
を備え、
前記選択手段により先にサムネイル画像が選択されていた撮影画像以外の他の撮影画像のサムネイル画像が前記選択手段により次に選択され、かつ、前記先にサムネイル画像が選択されていた撮影画像に前記編集手段により前記編集が施されたと判定された場合、前記表示制御手段は、前記編集が施されたことを示す表示を、前記先にサムネイル画像が選択されていた撮影画像のサムネイル画像の近傍に表示するように制御する
写真シール作成装置。
【請求項２】
前記表示制御手段は、前記先にサムネイル画像が選択されていた撮影画像のサムネイル画像に対して、前記編集が施されたことを示す表示を利用者毎に制御する
請求項１に記載の写真シール作成装置。
【請求項３】
前記表示制御手段は、前記先にサムネイル画像が選択されていた撮影画像のサムネイル画像に対して、前記編集が施されたことを示す表示として、前記編集の際に利用した編集ツールのボタンの非表示を制御する
請求項１に記載の写真シール作成装置。
【請求項４】
前記撮影画像の編集操作を制御するための編集制御手段をさらに備える
請求項１に記載の写真シール作成装置。
【請求項５】
前記編集制御手段は、前記撮影画像の編集操作の制御として、前記撮影画像の編集の予約、前記撮影画像の編集の完了、または、前記撮影画像の前記予約あるいは前記完了の解除を制御する
請求項４に記載の写真シール作成装置。
【請求項６】
写真シールを作成する写真シール作成装置の写真シール作成方法において、
前記写真シール作成装置による、
利用者を撮影し、撮影画像を生成する撮影ステップと、
生成された撮影画像に編集を施し、前記撮影画像に編集が施された編集画像を生成する編集ステップと、
生成された複数の前記撮影画像のサムネイル画像の表示を制御する表示制御ステップと、
前記表示が制御されている複数の撮影画像のサムネイル画像のうち、編集対象となる撮影画像のサムネイル画像を選択する選択ステップと
を含み、
先にサムネイル画像が選択されていた撮影画像以外の他の撮影画像のサムネイル画像が次に選択され、かつ、前記先にサムネイル画像が選択されていた撮影画像に前記編集が施されたと判定された場合、前記編集が施されたことを示す表示を、前記先にサムネイル画像が選択されていた撮影画像のサムネイル画像の近傍に表示するように制御する
写真シール作成方法。
【請求項７】
写真シールを作成する写真シール作成装置の制御用のプログラムにおいて、
利用者を撮影し、撮影画像を生成する撮影ステップと、
生成された撮影画像に編集を施し、前記撮影画像に編集が施された編集画像を生成する編集ステップと、
生成された複数の前記撮影画像のサムネイル画像の表示を制御する表示制御ステップと、
前記表示が制御されている複数の撮影画像のサムネイル画像のうち、編集対象となる撮影画像のサムネイル画像を選択する選択ステップと
を含み、
先にサムネイル画像が選択されていた撮影画像以外の他の撮影画像のサムネイル画像が次に選択され、かつ、前記先にサムネイル画像が選択されていた撮影画像に前記編集が施されたと判定された場合、前記編集が施されたことを示す表示を、前記先にサムネイル画像が選択されていた撮影画像のサムネイル画像の近傍に表示するように制御する
処理を前記写真シール作成装置に実行させるプログラム。
【発明の詳細な説明】
【技術分野】
【０００１】
本発明は、特に、複数の利用者間で、画像に対して編集が施されたことが容易にわかることができるようにした写真シール作成装置、写真シール作成方法、およびプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、利用者を撮影し、撮影で得た画像に編集（落書き）を行い、編集が施された編集画像もしくは撮影画像をシール紙に印刷するという流れになる。このような写真シール機における編集とは、例えば、複数回の撮影から得られた撮影画像である編集画像に対して、タッチペンなどで任意の文字、図形、スタンプ画像などを合成する機能である。
【０００４】
近年、写真シール機の編集機能を、女子中学生や女子高校生などの利用者においては、複数の友達で同時に利用し、楽しむことが多くなっている。
【０００５】
特許文献１には、複数の利用者がタッチペンをそれぞれ利用して、編集したい撮影画像を対応するサムネイル画像を選択することで選択し、選択した各撮影画像に編集を施す写真シール機が開示されている。特許文献２には、各利用者が編集した撮影画像に対しての編集内容を、各利用者が次に編集したい撮影画像を選択するためのサムネイル画像にそれぞれ反映させ、表示させる写真シール機が開示されている。
【先行技術文献】
【特許文献】
【０００６】
【特許文献１】特開２００５−１１５３６９号公報
【特許文献２】特開２００３−４７０００号公報
【発明の概要】
【発明が解決しようとする課題】
【０００７】
しかしながら、特許文献１に記載の写真シール機の場合、サムネイル画像には編集内容が反映されないため、利用者間で編集した編集内容が、サムネイル画像を選択し、編集対象画像として画像を表示したときにしかわからなかった。また、既に他の利用者によって満足のいく編集内容であれば、追加編集することはできない。したがって、編集可能な画像を探さすためには、１つ１つ画像を表示しながら探す必要があり、操作性がよくなかった。
【０００８】
そこで、特許文献２に記載の写真シール機のように、各利用者の編集内容を、それぞれが利用するサムネイル画像に反映させるようにした。しかしながら、特許文献２に記載のサムネイル画像は、利用者が個々に確認するためのものであり、他の利用者の編集内容を確認するものでなかった。したがって、サムネイル画像に表示される編集内容も小さく見えにくく、複数の利用者間で相互に確認できるものではなかった。
【０００９】
本発明はこのような状況に鑑みてなされたものであり、複数の利用者間で、画像に対して編集が施されたことが容易にわかることができるようにするものである。
【課題を解決するための手段】
【００１０】
本発明の一側面である写真シール作成装置は、利用者を撮影し、撮影画像を生成する撮影手段と、前記撮影手段により生成された撮影画像に編集を施し、前記撮影画像に編集が施された編集画像を生成する編集手段と、前記撮影手段により生成された複数の撮影画像のサムネイル画像の表示を制御する表示制御手段と、前記表示制御手段により表示が制御されている複数の撮影画像のサムネイル画像のうち、編集対象となる撮影画像のサムネイル画像を選択する選択手段とを備え、前記選択手段によりサムネイル画像が先に選択されていた撮影画像以外の他の撮影画像のサムネイル画像が前記選択手段により次に選択され、かつ、前記サムネイル画像が先に選択されていた撮影画像に前記編集手段により前記編集が施されたと判定された場合、前記表示制御手段は、前記編集が施されたことを示す表示を、前記先にサムネイル画像が選択されていた撮影画像のサムネイル画像の近傍に表示するように制御する。
【００１１】
この写真シール作成装置の撮影手段は、例えば、カメラにより構成され、編集手段は、例えば、落書き編集処理部により構成され、表示制御手段は、例えば、編集画面表示制御部により構成され、選択手段は、例えば、入力受付部により構成される。
【００１２】
本発明の一側面である写真シール作成装置においては、利用者が撮影されて、撮影画像が生成され、生成された撮影画像に編集が施され、前記撮影画像に編集が施された編集画像が生成される。生成された複数の撮影画像のサムネイル画像の表示が制御され、表示が制御されている複数の撮影画像のサムネイル画像のうち、編集対象となる撮影画像のサムネイル画像が選択される。そして、サムネイル画像が先に選択されていた撮影画像以外の他の撮影画像のサムネイル画像が次に選択され、かつ、前記サムネイル画像が先に選択されていた撮影画像に前記編集が施されたと判定された場合、前記編集が施されたことを示す表示が、前記先にサムネイル画像が選択されていた撮影画像のサムネイル画像の近傍に表示するように制御される。
【００１３】
これにより、複数の利用者同士は、お互いに、撮影画像のうち、どの画像が編集されたかを容易に把握することができる。
【００１４】
前記表示制御手段は、前記先にサムネイル画像が選択されていた撮影画像のサムネイル画像に対して、前記編集が施されたことを示す表示を利用者毎に制御することができる。
【００１６】
前記表示制御手段は、前記先にサムネイル画像が選択されていた撮影画像のサムネイル画像に対して、前記編集が施されたことを示す表示として、前記編集の際に利用した編集ツールのボタンの非表示を制御することができる。
【００１７】
前記撮影画像の編集操作を制御するための編集制御手段をさらに備えることができる。
【００１８】
これより、編集したい画像または編集済みの画像を、他の利用者が編集しないように防止することができる。
【００１９】
前記編集制御手段は、前記撮影画像の編集操作の制御として、前記撮影画像の編集の予約、前記撮影画像の編集の完了、または、前記撮影画像の前記予約あるいは前記完了の解除を制御することができる。
【００２０】
本発明の一側面である写真シール作成方法は、写真シールを作成する写真シール作成装置の写真シール作成方法において、前記写真シール作成装置による、利用者を撮影し、撮影画像を生成する撮影ステップと、生成された撮影画像に編集を施し、前記撮影画像に編集が施された編集画像を生成する編集ステップと、生成された複数の前記撮影画像のサムネイル画像の表示を制御する表示制御ステップと、前記表示が制御されている複数の撮影画像のサムネイル画像のうち、編集対象となる撮影画像のサムネイル画像を選択する選択ステップとを含み、サムネイル画像が先に選択されていた撮影画像以外の他の撮影画像のサムネイル画像が次に選択され、かつ、前記サムネイル画像が先に選択されていた撮影画像に前記編集が施されたと判定された場合、前記編集が施されたことを示す表示を、前記先にサムネイル画像が選択されていた撮影画像のサムネイル画像の近傍に表示するように制御する。
【００２１】
本発明の一側面であるプログラムは、写真シールを作成する写真シール作成装置の制御用のプログラムにおいて、利用者を撮影し、撮影画像を生成する撮影ステップと、生成された撮影画像に編集を施し、前記撮影画像に編集が施された編集画像を生成する編集ステップと、生成された複数の前記撮影画像のサムネイル画像の表示を制御する表示制御ステップと、前記表示が制御されている複数の撮影画像のサムネイル画像のうち、編集対象となる撮影画像のサムネイル画像を選択する選択ステップとを含み、サムネイル画像が先に選択されていた撮影画像以外の他の撮影画像のサムネイル画像が次に選択され、かつ、前記先にサムネイル画像が選択されていた撮影画像に前記編集が施されたと判定された場合、前記編集が施されたことを示す表示を、前記先にサムネイル画像が選択されていた撮影画像のサムネイル画像の近傍に表示するように制御する処理を前記写真シール作成装置に実行させる。
【００２２】
このプログラムは、所定の記録媒体に記録されて、例えば、ドライブにより読み出され、写真シール作成装置にインストールされる。記録媒体は、フロッピ（登録商標）ディスクなどよりなる磁気ディスク、CD-ROM(Compact Disc Read Only Memory)、DVD-ROM(Digital Versatile Disc)などよりなる光ディスク、MD(Mini Disc)（登録商標）などよりなる光磁気ディスク、または半導体メモリなどのリムーバブルメディアにより構成される。
【発明の効果】
【００２３】
本発明によれば、複数の利用者間で、画像に対して編集が施されたことが容易にわかる。
【図面の簡単な説明】
【００２４】
【図１】写真シール機の外観の構成例を示す斜視図である。
【図２】カーテンを取り付けた状態の写真シール機の外観を示す斜視図である。
【図３】写真シール機の外観を他の角度からみた斜視図である。
【図４】利用者の移動について説明する図である。
【図５】撮影部の構成例を示す図である。
【図６】背景部の構成例を示す図である。
【図７】編集部の構成例を示す図である。
【図８】事後接客部の構成例を示す図である。
【図９】写真シール機の内部の構成例を示すブロック図である。
【図１０】制御部の詳細な構成例を示す機能ブロック図である。
【図１１】編集処理部の詳細な構成例を示す機能ブロック図である。
【図１２】写真シール作成ゲームを提供する処理について説明するフローチャートである。
【図１３】編集処理について説明するフローチャートである。
【図１４】編集画面の例を示す図である。
【図１５】編集対象選択部の詳細な構成例を示す図である。
【図１６】編集画像表示部の表示例を示す図である。
【図１７】編集画面の更新処理について説明するフローチャートである。
【図１８】編集画面の一部の構成を示す図である。
【図１９】編集対象選択部の詳細な構成例を示す図である。
【図２０】編集が施されたことを示す表示の表示内容の例を示す図である。
【図２１】編集が施されたことを示す表示の表示例を示す図である。
【図２２】編集が施されたことを示す表示の他の表示例を示す図である。
【図２３】編集が施されたことを示す表示の他の表示例を示す図である。
【図２４】編集が施されたことを示す表示の他の表示例を示す図である。
【図２５】編集画面の他の表示例を示す図である。
【図２６】編集画面のさらに他の表示例を示す図である。
【図２７】編集が施されたことを示す表示の他の表示例を示す図である。
【図２８】編集対象選択部に表示されるサムネイル画像の構成例を示す図である。
【図２９】編集対象選択部に表示されるサムネイル画像の他の構成例を示す図である。
【図３０】編集対象選択部におけるサムネイル画像の表示例を示す図である。
【図３１】編集対象選択部におけるサムネイル画像の他の表示例を示す図である。
【図３２】編集対象選択部におけるサムネイル画像のさらに他の表示例を示す図である。
【図３３】編集画面の編集対象選択部の他の構成例を示す図である。
【図３４】編集画面の編集対象選択部のさらに他の構成例を示す図である。
【図３５】編集画面の編集対象選択部の他の構成例を示す図である。
【図３６】編集処理の他の例について説明するフローチャートである。
【図３７】編集画面の更新処理について説明するフローチャートである。
【発明を実施するための形態】
【００２５】
［写真シール機の外観構成］
図１は、本発明の一実施形態に係る写真シール機１の外観の構成例を示す斜視図である。
【００２６】
写真シール機１は、撮影や編集等の作業を利用者にゲームとして行わせ、撮影画像や編集済み画像を提供する代わりに利用者より代金を受け取るゲーム機である。写真シール機１はゲームセンタなどの店舗に設置される。利用者は１人であることもあるし、複数人であることもある。
【００２７】
写真シール機１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２８】
図１に示すように、写真シール機１は、主に、撮影ユニット１１、編集部１２、および事後接客部１３から構成される。撮影ユニット１１と編集部１２が接した状態で設置され、編集部１２と事後接客部１３が接した状態で設置される。
【００２９】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３０】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００３１】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図３）から構成される。
【００３２】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３３】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００３４】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００３５】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３６】
図２に示すように、撮影空間の上方に形成される開口のうち、天井ストロボユニット２４を挟んで前方の部分は天井前方カーテン６１で覆われ、後方の部分は天井後方カーテン６２で覆われる。天井前方カーテン６１の少なくとも内側の色は黒色などの暗い色とされ、天井後方カーテン６２の少なくとも内側の色は白色などの明るい色とされる。
【００３７】
また、図２に示すように、撮影空間の出入り口Ｇ１には側面カーテン６３が取り付けられる。反対側の出入り口である出入り口Ｇ２にも図示せぬ側面カーテンが取り付けられる。撮影空間の出入り口Ｇ１およびＧ２に取り付けられる側面カーテンの少なくとも内側の色は黒色などの暗い色とされる。
【００３８】
図１の説明に戻り、編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００３９】
図１に示す編集部１２の構成を正面側の構成とすると、２組の利用者が同時に編集処理を行うことができるように、編集部１２の正面側と背面側には編集処理に用いられる構成がそれぞれ設けられる。
【００４０】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図３）が設けられる。
【００４１】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４２】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４３】
図３は、写真シール機１を別の角度から見た斜視図である。
【００４４】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００４５】
図３に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００４６】
ここで、写真シール作成ゲームの流れと、それに伴う利用者の移動について図４を参照して説明する。図４は、写真シール機１を上から見た平面図である。
【００４７】
写真シール機１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００４８】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４９】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００５０】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５１】
画像の印刷が終了したとき、利用者は、事後接客部１３に設けられた排出口からシール紙を受け取り、一連の写真シール作成ゲームを終えることになる。
【００５２】
［各装置の構成］
次に、各装置の構成について説明する。
【００５３】
図５は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５４】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００５５】
正面パネル４１のほぼ中央には撮影・表示ユニット８１が設けられる。撮影・表示ユニット８１は、カメラ９１、正面ストロボ９２、およびタッチパネルモニタ９３から構成される。
【００５６】
カメラ９１は、CCD(Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００５７】
カメラ９１を囲むように発光面が設けられた正面ストロボ９２は、他のストロボと同様にカメラ９１による撮影に合わせて発光し、被写体としての利用者の顔付近を正面から照射する。
【００５８】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００５９】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６０】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００６１】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量が調整されることによって、または、発光させる蛍光灯の数が調整されることによって、撮影空間Ａ１内の明るさが、利用者が行っている撮影処理の内容に応じて適宜調整される。
【００６２】
足元ストロボ８６の右側には、利用者がお金を投入する硬貨投入返却口８７が設けられる。
【００６３】
下ストロボ８５を挟んでベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００６４】
図６は、背景部２２の撮影空間Ａ１側の構成例を示す図である。
【００６５】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００６６】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００６７】
図７は、編集部１２の正面側（編集空間Ａ２−１側）の構成例を示す図である。
【００６８】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６９】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。なお、以下において、タッチペン１３２Ａとタッチペン１３２Ｂを互いに区別して説明する必要の無い場合、タッチペン１３２と称する。
【００７０】
編集部１２の左側には事後接客部１３が設けられる。
【００７１】
図８は、事後接客部１３の正面側の構成例を示す図である。
【００７２】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。タブレット内蔵モニタ１６１には、ミニゲームなどの事後接客処理に用いられる画面が表示される。なお、以下において、タッチペン１６２Ａとタッチペン１６２Ｂを互いに区別して説明する必要の無い場合、タッチペン１６２と称する。
【００７３】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【００７４】
非接触型ICリーダ／ライタ１６３は、近接された非接触型ICと通信を行い、非接触型ICからのデータの読み出しや非接触型ICに対するデータの書き込みを行う。
【００７５】
シール紙排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００７６】
スピーカ１６５は、事後接客処理の案内音声、BGM、効果音等の音を出力する。
【００７７】
［写真シール機の内部構成］
次に、写真シール機１の内部構成について説明する。図９は、写真シール機１の内部の構成例を示すブロック図である。上述した構成と同じ構成には同じ符号を付してある。重複する説明については適宜省略する。
【００７８】
制御部２０１はCPU(Central Processing Unit)などよりなり、ROM(Read Only Memory)２０６や記憶部２０２に記憶されているプログラムを実行し、写真シール機１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、事後接客部２１０、および印刷部２１１の各構成も接続される。
【００７９】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００８０】
通信部２０３はインターネットなどのネットワークのインタフェースであり、制御部２０１による制御に従って外部の装置と通信を行う。
【００８１】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８２】
ROM２０６には、制御部２０１において実行されるプログラムやデータが記憶されている。RAM２０７は、制御部２０１が処理するデータやプログラムを一時的に記憶する。
【００８３】
撮影部２０８は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【００８４】
硬貨処理部２２１は、硬貨投入返却口８７に対する硬貨の投入を検出する。硬貨処理部２２１は、３００円などの所定の金額分の硬貨が投入されたことを検出した場合、そのことを表す起動信号を制御部２０１に出力する。
【００８５】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００８６】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２，背面右ストロボ１０３が設けられる。各ストロボの内部には蛍光灯も設けられる。
【００８７】
また、照明制御部２２３は、各ストロボの内部に設けられる蛍光灯の発光量を調整することによって、または、発光させる蛍光灯の数を調整することによって、利用者が行っている撮影処理の段階に応じて撮影空間Ａ１内の明るさを調整する。
【００８８】
カメラ９１は、制御部２０１による制御に従って撮影を行い、撮影によって得られた画像を制御部２０１に出力する。
【００８９】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００９０】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９１】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、およびスピーカ１６５から構成される。
【００９２】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、シール紙排出口１６４に排出する。一点鎖線で囲んで示す事後接客部２１０と印刷部２１１が、事後接客空間Ａ３にいる利用者を相手とした処理を行う構成となる。
【００９３】
［制御部の構成］
次に、制御部２０１について説明する。図１０は、制御部２０１がROM２０６などに格納されているプログラムを実行することにより実現される機能ブロックの構成例を示している。
【００９４】
制御部２０１は、写真シール作成ゲームを開始する際に投入される代金（硬貨）に関する処理や、利用者を撮影する等の写真シール作成ゲームの撮影作業の工程に関する処理を行う撮影処理部３０１、撮影画像に対する落書き編集等の写真シール作成ゲームの編集作業の工程に関する処理を行う編集処理部３０２、シール紙の印刷等の写真シール作成ゲームの印刷の工程に関する処理を行う印刷処理部３０３、および、編集作業を終了した利用者を接客する写真シール作成ゲームの事後接客の工程に関する処理を行う事後接客処理部３０４を有する。
【００９５】
つまり、制御部２０１は、写真シール作成ゲームの各工程に関する処理の制御を行う。
【００９６】
［編集処理部の構成］
図１１は、図１０の編集処理部３０２の詳細な構成例を示す機能ブロック図である。
【００９７】
図１１の例において、編集処理部３０２は、写真シール作成ゲームの編集作業の工程において、利用者による、撮影作業の工程において得られた撮影画像に対する落書き編集に関する処理を行う。
【００９８】
例えば、編集処理部３０２は、各種のGUIを表示したり、利用者による落書き編集入力を受け付けたり、その落書き編集入力に応じた合成用画像を作成し、それを撮影画像に合成したりする。つまり、編集処理部３０２は、利用者に対して、撮影画像に対する落書き編集機能を提供する。この落書き編集機能として、どのような機能が提供されるようにしてもよいが、例えば、フリーハンドの線等で撮影画像に落書きを行う落書きペン機能や、所定の画像を撮影画像の任意の位置に合成するスタンプ機能等がある。
【００９９】
編集処理部３０２は、進行制御部３１１、編集準備処理部３１２、入力受付部３１３、編集画面表示制御部３１４、および落書き編集処理部３１５から構成される。
【０１００】
進行制御部３１１は、編集作業の工程の進行を制御する。
【０１０１】
編集準備処理部３１２は、編集対象画像の選択等、編集の準備に関する処理を行う。
【０１０２】
入力受付部３１３は、タブレット内蔵モニタ１３１を制御し、タブレット内蔵モニタ１３１に表示される各種のGUIに対して利用者により行われる操作入力を受け付ける処理を行う。
【０１０３】
編集画面表示制御部３１４は、タブレット内蔵モニタ１３１に表示される編集画面の表示や、その編集画面上における各種のGUIの表示に関する処理を行う。
【０１０４】
落書き編集処理部３１５は、利用者によるタッチペン１３２Ａまたは１３２Ｂを用いた入力操作に応じて、編集画像に対して落書き編集に関する処理を行う。
【０１０５】
［写真シール機の動作］
次に、図１２のフローチャートを参照して、写真シール作成ゲームを提供する写真シール機１の処理について説明する。
【０１０６】
ステップＳ１において、写真シール機１の制御部２０１の撮影処理部３０１は、所定の金額分の硬貨が投入されたか否かを硬貨処理部２２１から供給される信号に基づいて判定し、投入されたと判定するまで待機する。
【０１０７】
硬貨が投入されたとステップＳ１において判定した場合、ステップＳ２において、制御部２０１の撮影処理部３０１は、撮影部２０８を制御し、本撮影処理を行う。本撮影処理により、撮影空間Ａ１にいる利用者を被写体として撮影が行われる。写真シール機１による撮影処理は、ステップＳ２の本撮影処理とステップＳ３の被写体の画像処理からなる。本撮影処理は、撮影空間Ａ１内の照明度が100%の状態で行われる。
【０１０８】
ステップＳ３において、制御部２０１の撮影処理部３０１は被写体の画像処理を行う。被写体の画像処理により、本撮影処理によって得られた撮影画像の明るさの調整などの各種の処理が行われる。
【０１０９】
ステップＳ４において、制御部２０１の撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２４から出力させることによって行われる。
【０１１０】
ステップＳ５において、制御部２０１の撮影処理部３０１は、編集空間Ａ２−１と編集空間Ａ２−２のうち、撮影処理を終えた利用者の移動先とした方の編集空間のタブレット内蔵モニタ１３１に編集対象画像の選択画面を表示させ、利用者による選択を受け付ける。編集対象画像の選択画面には、本撮影処理によって得られた撮影画像が一覧表示される。
【０１１１】
ステップＳ６において、制御部２０１の撮影処理部３０１は、編集対象画像として選択された撮影画像を記憶部２０２に記憶させて保存する。
【０１１２】
ステップＳ７において、制御部２０１の撮影処理部３０１は、撮影画像の画像処理を行う。撮影画像の画像処理は、編集対象画像として選択された撮影画像に合成する合成用画像を利用者に選択させ、選択された合成用画像を撮影画像に合成する処理である。
【０１１３】
制御部２０１の撮影処理部３０１は、編集対象画像として選択された撮影画像とともに合成用画像をタブレット内蔵モニタ１３１に表示し、利用者による選択を受け付ける。合成用画像が利用者により選択されたとき、制御部２０１の撮影処理部３０１は、撮影画像に合成用画像を合成し、得られた合成画像をタブレット内蔵モニタ１３１に表示させる。ステップＳ６の編集対象画像の選択と、ステップＳ７の撮影画像の画像処理のうちの少なくとも一方は、撮影部２０８により、撮影空間Ａ１にいる利用者を対象として行われるようにしてもよい。
【０１１４】
ステップＳ８において、制御部２０１の編集処理部３０２は、編集部２０９Ａまたは編集部２０９Ｂを制御し、編集処理を行う。制御部２０１の編集処理部３０２は、編集画面をタブレット内蔵モニタ１３１に表示させ、利用者による編集操作に従って、編集対象として選択された撮影画像の編集を行う。この編集処理の詳細は、図１３を参照して後述される。
【０１１５】
編集が終了したとき、制御部２０１の編集処理部３０２は、印刷する画像の選択画面をタブレット内蔵モニタ１３１に表示させ、印刷する画像を利用者に選択させる。印刷する画像の選択画面には、撮影画像や編集済みの画像が表示され、その中から所定の枚数の画像が選択される。
【０１１６】
ステップＳ９において、制御部２０１の編集処理部３０２は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１１７】
ステップＳ１０において、制御部２０１の事後接客処理部３０４は、事後接客部２１０を制御し、事後接客処理を行う。例えば、撮影画像や編集済みの画像を携帯端末に送信する処理を事後接客処理として行う場合、制御部２０１の事後接客処理部３０４は、携帯端末の電子メールアドレスの入力画面や、送信する画像の選択画面をタブレット内蔵モニタ１６１に表示させ、利用者による操作に応じて画像を送信する。また、ミニゲームを利用者に行わせる処理を事後接客処理として行う場合、制御部２０１の事後接客処理部３０４は、ミニゲームの画面をタブレット内蔵モニタ１６１に表示させる。アンケートに答えさせる処理を事後接客処理として行う場合、制御部２０１の事後接客処理部３０４は、アンケート画面をタブレット内蔵モニタ１６１に表示させ、利用者による回答を取得する。
【０１１８】
ステップＳ１０において事後接客処理を行うことと並行して、ステップＳ１１において、制御部２０１の印刷処理部３０３は印刷処理を行う。制御部２０１の印刷処理部３０３は、利用者により選択された画像をプリンタ２４１に出力してシール紙に印刷させる。
【０１１９】
印刷が終了したとき、ステップＳ１２において、プリンタ２４１は、画像が印刷されたシール紙をシール紙排出口１６４に排出し、処理を終了させる。
【０１２０】
次に、図１３のフローチャートを参照して、図１２のステップＳ８において行われる編集処理について説明する。なお、この編集処理は、実際には、編集空間Ａ２−１または編集空間Ａ２−２のうち、図１２のフローチャートに対応する写真シール作成ゲームの撮影工程をプレイした利用者が移動した方の編集空間に対して実行されるが、いずれの編集空間に対する場合も同様の処理が実行されるので、以下においては説明の簡略化のため、利用者が編集空間Ａ２−１に移動したか編集空間Ａ２−１に移動したかを特に明言せずに、
編集空間Ａ２に移動したものとして説明する。
【０１２１】
編集処理が開始されると、編集準備処理部３１２は、ステップＳ３１において、撮影部２０８によって得られた撮影画像であって、落書き編集の対象として選択された編集対象画像を、記憶部２０２から取得する。編集準備処理部３１２は、ステップＳ３２において、編集空間Ａ２のタブレット内蔵モニタ１３１に所定のGUI画面を表示し、移動してきた利用者に対し、事後接客処理のゲームの種類を選択させる。
【０１２２】
上述したように、事後接客処理部３０４は、印刷終了待機中の利用者に対してミニゲームや画像転送等のサービスを行う。編集準備処理部３１２は、このときに何を行うかを、利用者に対し、予め用意された選択肢の中から選択させる。利用者が事後接客処理の内容を選択すると、編集準備処理部３１２は、次に、タブレット内蔵モニタ１３１に編集開始ボタンのGUI画像を表示する。利用者は、タッチペン１３２を操作して、その編集開始ボタンを押下操作する。編集開始ボタンが押下操作されると、タブレット内蔵モニタ１３１に編集作業用のGUIである編集画面が表示されるので、利用者は落書き編集作業を開始することができる。
【０１２３】
編集準備処理部３１２は、ステップＳ３３において、タブレット内蔵モニタ１３１から供給される情報に基づいて、その編集開始ボタンが利用者により操作されたか否かを判定し、操作されたと判定するまで待機する。ステップＳ３３において、編集開始ボタンが操作されたと判定された場合、処理は、ステップＳ３４に進み、編集画面表示制御部３１４は、タブレット内蔵モニタ１３１に、撮影画像に対する落書き編集を利用者に入力させるGUI画面である編集画面を表示させる。
【０１２４】
図１４は、編集画面の構成例を示す図である。
【０１２５】
図１４に示されるように、編集画面４０１は、主な構成が、一部を除き左右に２つずつ設けられている。これは、基本的に同じ組の２名の利用者が同時に落書き編集入力を行うことができるようにするものである。
【０１２６】
編集画面４０１の中央には、利用者が画像や機能を選択するGUIボタン等が設けられている。この中央に配置されるGUIボタン等（編集対象選択部４１１や編集ツール選択部４１５）は、２名の利用者で共用されるGUIである。これに対して、左右に配置され、２つずつ設けられているGUIは、２名の利用者が各自使用するGUIである。
【０１２７】
上部中央に表示される編集対象選択部４１１は、編集対象としての、編集画面４０１において利用者に落書き編集される画像となり得る編集対象画像の中から利用者が落書きを行う編集画像を選択するGUIである。
【０１２８】
この編集対象画像は、撮影作業により生成され、利用者により選択される編集対象画像である。編集対象選択部４１１には、この編集対象画像のサムネイル画像の一覧がGUIとして表示される。
【０１２９】
図１５は、図１４の編集対象選択部４１１の詳細な構成例を示す図である。編集対象選択部４１１には、利用者により選択された編集対象画像のサムネイル画像４２１乃至４２６が表示されている。
【０１３０】
利用者は、この編集対象選択部４１１に表示された編集対象画像のサムネイル画像４２１乃至４２６の中から、所望の編集対象画像のサムネイル画像をタッチペン１３２で選択する。これに対応して、選択されたサムネイル画像に対応する編集対象画像は、編集画像とされ、編集画面４０１上に編集画像として大きく表示される。
【０１３１】
また、図１５の例において、サムネイル画像４２１および４２４には、「落書き中」として、利用者に対して落書き中を示す表示４３１が重畳されている。これは、サムネイル画像４２１および４２４に対応する編集対象画像が、いま、編集画像とされ、編集画面４０１上に編集画像として大きく表示されていることを示している。これにより、編集対象選択部４１１を見るだけで、他方の利用者が、どのサムネイル画像に対応する画像を落書き中であるかを容易に知ることができる。
【０１３２】
図１４に戻って、編集画像表示部４１２−１は、タブレット内蔵モニタ１３１に向かって左側に位置する利用者が落書き編集を行う編集画像を表示する作業領域であり、例えば、編集部１２の左側に設けられたタッチペン１３２Ａが操作されて選択された編集対象画像（選択画像）が編集画像Ａとして表示されている。
【０１３３】
同様に、編集画像表示部４１２−２は、タブレット内蔵モニタ１３１に向かって右側に位置する利用者が落書き編集を行う編集画像を表示する作業領域であり、例えば、編集部１２の右側に設けられたタッチペン１３２Ｂが操作されて選択された編集対象画像（選択画像）が編集画像Ｂとして表示されている。
【０１３４】
すなわち、図１５の編集対象選択部４１１において、サムネイル画像４２１がタッチペン１３２Ａで選択されると、図１４の編集画像表示部４１２−１には、サムネイル画像４２１が対応する編集対象画像が、編集画像Ａとして表示される。それと同時に、編集対象選択部４１１のサムネイル画像４２１上には、落書き中を示す表示４３１が重畳表示される。
【０１３５】
また、図１５の編集対象選択部４１１において、サムネイル画像４２４がタッチペン１３２Ｂで選択されると、図１４の編集画像表示部４１２−２には、サムネイル画像４２４が対応する編集対象画像が、編集画像Ｂとして表示される。それと同時に、編集対象選択部４１１のサムネイル画像４２４上には、落書き中を示す表示４３１が重畳表示される。なお、編集対象選択部４１１において、他の利用者により落書き中（編集中）のサムネイル画像は、その選択が禁止されている。
【０１３６】
以下において、編集画像表示部４１２−１と編集画像表示部４１２−２を互いに区別して説明する必要の無い場合、編集画像表示部４１２と称する。
【０１３７】
図１４の編集画面４０１の上部中央に表示される残時間表示部４１３は、編集作業に予め割り当てられた制限時間の残り時間（残時間）を表示する。この表示により利用者は、落書き編集のペース配分を行うことができる。
【０１３８】
編集対象選択部４１１の左側に表示される制御指示受付部４１４−１は、編集画像表示部４１２−１に表示される編集画像に対する落書き編集全般に関する制御指示を受け付けるためのGUIである。この制御指示受付部４１４−１には、例えば、今まで行った落書きを消す消しゴム機能のGUI（「けしゴム」ボタン）や、編集作業のやり直しを落書き処理単位で指定するGUI（「最初から」ボタン）や、１つ前の編集作業のやり直しを指示するGUI（「戻る」ボタン）、編集作業の終了を指示するGUI（「終わる」ボタン）等が表示される。
【０１３９】
編集対象選択部４１１の右側に表示される制御指示受付部４１４−２は、編集画像表示部４１２−２に表示される編集画像に対する落書き編集全般に関する制御指示を受け付けるためのGUIである。そのGUIの内容は、制御指示受付部４１４−１と同様である。
【０１４０】
以下において、制御指示受付部４１４−１と制御指示受付部４１４−２を互いに区別して説明する必要の無い場合、制御指示受付部４１４と称する。
【０１４１】
編集画面４０１の下部中央に表示される編集ツール選択部４１５は、編集画像表示部４１２に表示されている編集画像の編集に使用する編集ツールを選択するGUIである。
【０１４２】
編集ツール選択部４１５には、特殊な落書き編集機能を集めた編集ツールであるスペシャルツールを選択するためのスペシャルボタン、装飾画像を任意の位置に合成する編集ツールであるデコリツールを選択するためのデコリボタン、フリーハンドで線等を編集画像に書き込む編集ツールである落書きペンツールを選択するためのペンボタン、所定の絵柄や文字等を編集画像の任意の位置に合成する編集ツールであるスタンプツールを選択するためのスタンプボタン、装飾された特殊なフォントの文字列を編集画像の任意の位置に合成する編集ツールである文字ツールを選択するための文字ボタン、および、所定の絵柄や文字を編集画像の任意の位置に線状に並べて合成する編集ツールであるコロコロツールを選択するためのコロコロボタンが設けられている。
【０１４３】
利用者がタッチペン１３２を操作して、これらのボタンを押下すると、押下されたボタンの、タッチしたタッチペン１３２の側に、そのボタンに対応する編集ツールが選択されたことを示す選択アンカが表示される。なお、タッチペン１３２により押下されたボタンは、その表示色が反転するようにもできる。また、編集ツール選択部４１５においてあるボタンが押下されると、押下されたボタン以外のボタンは押下されないようにしてもよい（非アクティブな状態にしてもよい）。
【０１４４】
このように選択された編集ツールは、編集用パレット（コンテンツパレット）に表示される。図１４の例の場合、編集ツール選択部４１５の左側に表示されるコンテンツパレット４１６−１および４１６−２には、スタンプツールを操作するためのGUIが表示されている。このスタンプツールは、コンテンツパレット４１６−１および４１６−２における「ぴったり」タブ、「ハート」タブ、「キラキラ（スター）」タブ、「オシャレ」タブ、「カラー」タブ、および「キャラ」タブに表示される。
【０１４５】
図１４の例のコンテンツパレット４１６−１においては、「ぴったり」タブが選択されて、「ぴったり」タブに含まれるスタンプの種類などが表示されている。また、コンテンツパレット４１６−２においては、「ハート」タブが選択されて、「ハート」タブに含まれるスタンプの種類など表示されている。
【０１４６】
以下において、コンテンツパレット４１６−１とコンテンツパレット４１６−２を互いに区別して説明する必要の無い場合、コンテンツパレット４１６と称する。
【０１４７】
なお、以上において説明したGUIの表示例は、一例であり、上述した以外の構成であってももちろんよい。また、以上において説明した編集ツールの一部が省略されるようにしてもよいし、上述した以外の編集ツールがさらに用意されるようにしてもよい。さらに、編集画面４０１の操作方法も上述した以外の方法が適用されるようにしてもよい
【０１４８】
図１３に戻り、入力受付部３１３は、ステップＳ３５において、編集部２０９のタブレット内蔵モニタ１３１やタッチペン１３２を制御し、利用者による編集画面に対する落書き編集入力の受け付けを開始する。
【０１４９】
入力受付部３１３は、ステップＳ３６において、タブレット内蔵モニタ１３１より供給される入力信号（すなわち、タッチペン１３２およびタブレット内蔵モニタ１３１により受け付けられた位置情報）に基づいて、利用者による指示が入力された（GUIに対する操作が行われた）か否かを判定する。利用者等によりタッチペン１３２が操作されると、ステップＳ３６において、タブレット内蔵モニタ１３１に表示された編集画面に対して、タブレット内蔵モニタ１３１に位置情報が入力されたと判定され、処理は、ステップＳ３７に進む。ステップＳ３７において、落書き編集処理部３１５は、入力座標に基づいて入力された指示内容を把握し、その指示に対応する処理を行う。
【０１５０】
例えば、図１４の編集ツール選択部４１５においてペンツールが選択され、利用者等によりタッチペン１３２Ａが操作されて、編集画像表示部４１２−１に表示される編集画像Ａに対して、「ピース」の落書きがなされる。これに対応して、落書き編集処理部３１５は、入力座標に基づいて入力された指示内容を把握し、「ピース」に示される編集内容４３２を編集画像Ａに重畳して、編集画像表示部４１２−１に表示する。
【０１５１】
図１６は、編集画像表示部４１２−１の表示例を示す図である。図１６の例においては、編集画像表示部４１２−１の編集画像Ａに対して編集内容４３２が重畳されて表示されている。
【０１５２】
なお、図１３のステップＳ３６において指示が入力されていないと判定された場合、ステップＳ３７がスキップされ、処理は、ステップＳ３８に進む。
【０１５３】
入力受付部３１３は、ステップＳ３８において、タブレット内蔵モニタ１３１より供給される入力信号に基づき、編集対象選択部４１１において、編集画像のサムネイル画像以外の他のサムネイル画像が選択されたか否かを判定する。ここで、編集画像とは、この判定の対象である他のサムネイル画像が選択される前に、編集画像表示部４１２に表示されており、編集対象であった画像のことである。
【０１５４】
他のサムネイル画像が選択されたと判定された場合、編集画面表示制御部３１４は、ステップＳ３９において、タブレット内蔵モニタ１３１に表示される編集画面の更新処理を行う。編集画面の更新処理の詳細は、図１７を参照して後述する。これにより、他のサムネイル画像が対応する編集対象画像が、編集画像として、他のサムネイル画像を選択した利用者に対応する編集画像表示部４１２に表示される。
【０１５５】
更新された編集画面が表示されると、処理は、ステップＳ３６に戻り、それ以降の処理が繰り返される。すなわち、次の編集画像（選択された他のサムネイル画像が対応する画像）に対する落書き編集入力に対する処理が行われる。
【０１５６】
他のサムネイル画像が選択されていない場合、処理は、ステップＳ４０に進み、進行制御部３１１は、所定の時間（制限時間）が経過したか、または、終了ボタンが操作されたか否かを判定する。ステップＳ４０において、制限時間にも達しておらず、終了ボタンも操作されていないと判定された場合、進行制御部３１１は、処理をステップＳ３６に戻し、それ以降の処理を繰り返す。つまり、進行制御部３１１は、所定の時間が経過した、または、終了ボタンが操作されたと判定されるまで、ステップＳ３６乃至ステップＳ４０の処理を繰り返し、落書き編集入力に対する処理を行う。そして、ステップＳ４０において、所定の時間が経過した、または、終了ボタンが操作されたと判定した場合、進行制御部３１１は、処理をステップＳ４１に進める。
【０１５７】
ステップＳ４１において、進行制御部３１１は、落書き編集が行われた編集画像（落書き編集結果）を印刷用の画像を作成するために、印刷対象画像として保存する。なお、この「保存する」とは、単に編集結果である編集画像を印刷処理に提供することを示すものであり、実際に、データを、RAM２０７や記憶部２０２に保存するかしないかは任意である。
【０１５８】
ステップＳ４２において、進行制御部３１１は、編集画面の表示を終了し、編集入力の受け付けを終了する。ステップＳ４２の処理を終了すると、進行制御部３１１は、編集処理を終了し、処理を図１２のステップＳ８に戻し、ステップＳ９以降の処理を実行させる。
【０１５９】
以上のような編集処理により編集作業は行われる。なお、編集作業の終了後、上述したように、制御部２０１の編集処理部３０２は、印刷する画像の選択画面をタブレット内蔵モニタ１３１に表示させ、印刷する画像を利用者に選択させる。印刷する画像の選択画面には、撮影画像や編集済みの画像が表示され、その中から所定の枚数の画像が選択される。
【０１６０】
次に、図１７のフローチャートを参照して、図１３のステップＳ３９で行われる編集画面の更新処理について説明する。
【０１６１】
例えば、図１３のステップＳ３８において、図１５の編集対象選択部４１１のサムネイル画像の中から、編集画像Ａのサムネイル画像４２１以外の他のサムネイル画像（例えば、サムネイル画像４２２）が、タッチペン１３２により選択されたと判定された場合に、この編集画面の更新処理は開始される。
【０１６２】
ステップＳ６１において、入力受付部３１３は、他のサムネイル画像が選択される直前の編集画像に編集が施されたか否かを判定する。例えば、図１６を参照して上述したように、編集画像Ａに対して、編集内容４３２に示される「ピース」の落書きがなされた場合、入力受付部３１３は、ステップＳ６１において、他のサムネイル画像が選択される直前の編集画像に編集が施されたと判定し、ステップＳ６２に進む。
【０１６３】
そして、ステップＳ６２において、編集画面表示制御部３１４は、タブレット内蔵モニタ１３１に、直前の編集画像のサムネイル画像に、編集が施されたことを示す表示を重畳した編集画面を表示させる。
【０１６４】
図１８は、直前の編集画像のサムネイル画像に、編集済みを示す表示を重畳した編集画面の一部の構成を示す図である。なお、図１８の例において、図１４と対応する部には対応する符号が付してあり、その説明は繰り返しになるので省略する。
【０１６５】
例えば、図１５のサムネイル画像４２２が、タッチペン１３２Ａにより選択された結果、図１８の編集画像表示部４１２−１には、サムネイル画像４２２が対応する編集対象画像が編集画像Ｃとして表示されている。
【０１６６】
そして、編集対象選択部４１１のサムネイル画像のうち、２つのサムネイル画像上には、落書き中を示す表示が重畳されて表示されており、１つのサムネイル画像上には「落書き済」として、編集済み履歴表示、換言するに、編集が施されたことを示す表示が重畳されて表示されている。
【０１６７】
図１９は、図１８の編集対象選択部４１１の詳細な構成例を示す図である。なお、図１９の例において、図１５と対応する部には対応する符号が付してあり、その説明は繰り返しになるので省略する。
【０１６８】
図１９の例の編集対象選択部４１１においては、図１５の例の場合に、落書き中を示す表示４３１が重畳されていたサムネイル画像４２１上には、「落書き済」として、編集が施されたことを示す表示４４１が重畳されて表示されている。また、図１５の例の場合に、何も重畳されていなかったサムネイル画像４２２上には、サムネイル画像４２４上と同じように、「落書き中」として、落書き中を示す表示４３１が重畳されて表示されている。
【０１６９】
すなわち、編集対象選択部４１１のサムネイル画像４２２が、タッチペン１３２Ａにより選択された結果、サムネイル画像４２２上には、落書き中を示す表示４３１が重畳されて表示される。それと同時に、編集画像Ａに対して、編集内容４３２に示される「ピース」の落書きがなされているので、サムネイル画像４２１上には、「落書き済」として、編集が施されたことを示す表示４４１が重畳されて表示される。
【０１７０】
これにより、次に編集する画像を選択するために、編集対象選択部４１１を見るだけで、他方の利用者が、どのサムネイル画像に対応する画像がすでに落書きされているかを容易に知ることができる。すなわち、次に編集する画像を選択するために最低限見る必要のある編集対象選択部４１１を見るだけで、編集が施されている画像を容易に知ることができるので、編集が施されている画像をいちいち調べる手間を省くことができる。
【０１７１】
なお、図１９の例においては、サムネイル画像４２１上に、表示内容が「落書き済」である、編集が施されたことを示す表示４４１が重畳される例を示したが、編集が施されたことを示す表示、すなわち、編集済み履歴表示であれば、その表示内容は、「落書き済」に限らない。編集が施されたことを示す表示の表示内容は、例えば、「済」、「落書きあり」、「落書きしたよ」、または、「落書きしてるよ」などの文言の画像を重畳することもできる。
【０１７２】
図１７に戻って、ステップＳ６１において、他のサムネイル画像が選択される直前の編集画像に編集が施されていないと判定された場合、処理は、ステップＳ６３に進む。すなわち、編集画像として選んだけれど、編集されなかった場合、あるいは、編集したけれど、その内容を削除した場合、ステップＳ６３において、編集画面表示制御部３１４は、タブレット内蔵モニタ１３１に、標準の編集画面を表示させる。標準の編集画面とは、ステップＳ６２で、編集が施されたことを示す表示が新たになされた画面であることに対して、編集が施されたことを示す表示が新たに追加されていない画面であることを表している。
【０１７３】
すなわち、この場合、編集画面４０１の編集対象選択部４１１のサムネイル画像４２２上には、「落書き中」として、利用者に対して落書き中を示す表示４３１が新たに表示されるが、サムネイル画像４２１上には、何も表示されない。
【０１７４】
ステップＳ６２およびＳ６３の後、処理は、図１３のステップＳ３６に戻り、それ以降の処理が繰り返される。
【０１７５】
図２０は、編集が施されたことを示す表示の表示内容の他の例を示す図である。
【０１７６】
例えば、一方の利用者がサムネイル画像４２１に対して１回目の編集を行い、編集対象選択部４１１において、サムネイル画像４２１以外のサムネイル画像が選択された場合、１回目の編集が施されていると判定されて、サムネイル画像４２１には、「落書きしてるよ！」という表示内容の、編集が施されたことを示す表示４５１が重畳され、表示される。
【０１７７】
その次に、一方（または他方）の利用者が同じサムネイル画像４２１に対して２回目の編集を行い、編集対象選択部４１１において、サムネイル画像４２１以外のサムネイル画像が選択された場合、２回目の編集が施されていると判定されて、サムネイル画像４２１には、「落書きしたよ！」という表示内容の、編集が施されたことを示す表示４５２が重畳され、表示される。
【０１７８】
さらに、一方（またはもう他方）の利用者が同じサムネイル画像４２１に対して３回目の編集を行い、編集対象選択部４１１において、サムネイル画像４２１以外のサムネイル画像が選択された場合、３回目の編集が施されていると判定されて、サムネイル画像４２１には、「落書き完璧！」という表示内容の、編集が施されたことを示す表示４５３が重畳され、表示される。
【０１７９】
すなわち、この表示内容は、編集済み履歴（回数）毎に変わるようにすることもできる。なお、ここで、カウントされる編集済み回数は、他のサムネイル画像を選択し、直前まで選択されていたサムネイル画像の画像への編集が施されたと判定されるまでの動作が済んだ回数のことを表す。
【０１８０】
また、編集が施されたことを示す表示の表示内容は、時系列的に変わるようにしてもよい。例えば、最初は、「落書き済」であった表示内容は、編集終了時間より一定の時間前になると、「落書き確認してね！」などの表示内容に変更されるようにしてもよい。この場合、最終の追加編集を誘導することができ、より完璧に編集された画像を作ることができる。
【０１８１】
なお、編集が施されていないと判定されている画像のサムネイル画像に対しても、所定の時間後、「落書きしてね！」などの落書きを誘導する表示をするようにしてもよい。
【０１８２】
また、１回、２回などの編集済み回数を、表示内容として、サムネイル画像に重畳するようにしてもよい。さらに、編集済み回数（利用者区別のない）をカウントし、規定値を超えた場合に、「落書きのやりすぎ！」などを、対応するサムネイル画像に、重畳表示するようにしてもよい。また、この編集済み回数を、利用者毎にカウントし、編集（落書き）が終わった後の画面に、編集済み回数が規定値を超えた利用者に対して「落書きのやりすぎ！」などを表示することもできる。これにより、娯楽性を向上させることができる。この場合の編集済み回数とは、画像毎の回数であってもよいし、全画像の総編集済み回数であってもよい。
【０１８３】
図２１は、編集が施されたことを示す表示の他の表示例を示す図である。
【０１８４】
図２１の例においては、編集画面４０１のうち、編集対象選択部４１１と編集画像表示部４１２が示されている。図中左側の編集対象選択部４１１には、落書き中の編集画像Ａのサムネイル画像Ａと、未編集のサムネイル画像Ｂ乃至Ｆが表示されている。
【０１８５】
ここで、編集対象選択部４１１のハッチが付されているサムネイル画像は、ハッチが付されていないサムネイル画像よりも画像濃度が濃いことを示している。
【０１８６】
すなわち、編集対象選択部４１１において、サムネイル画像Ａは、利用者により選択されており、落書き中を示す表示４３１が重畳されており、未編集のサムネイル画像Ｂ乃至Ｆよりも濃度が薄く表示されている。そして、編集画像表示部４１２には、サムネイル画像Ａが対応する編集対象画像が、編集画像Ａとして表示されている。
【０１８７】
例えば、利用者は、編集画像表示部４１２において編集画像Ａに対して、落書きを施し、タッチペン１３２を操作して、編集対象選択部４１１において、サムネイル画像Ｂを選択する。これに対応して、サムネイル画像Ｂに対応する編集対象画像は、矢印に示されるように、編集画像Ｂとして編集画像表示部４１２に表示される。また、編集対象選択部４１１のサムネイル画像Ｂには、落書き中を示す表示４３１が重畳され、サムネイル画像Ｂは、未編集のサムネイル画像Ｃ乃至Ｆよりも濃度が薄く表示される。
【０１８８】
さらに、サムネイル画像Ａとは異なる他のサムネイル画像Ｂが選択され、サムネイル画像Ａが対応する編集画像Ａに対して編集が施されたと判定されるので、編集対象選択部４１１のサムネイル画像Ａは、編集が施されたことを示す表示として、未編集のサムネイル画像Ｃ乃至Ｆよりも濃度が薄く表示される。
【０１８９】
すなわち、編集が施されたことを示す表示として、編集が施された画像のサムネイル画像と、未編集の画像のサムネイル画像とを異なる表示にすることもできる。
【０１９０】
なお、図２１の例においては、編集中の画像のサムネイル画像も、編集が施された画像のサムネイル画像と同じ濃度に表示したが、編集中の画像のサムネイル画像は、未編集の画像のサムネイル画像を同じ濃度に表示するようにしてもよい。
【０１９１】
また、図２１の例においては、編集が施された画像のサムネイル画像を、未編集の画像のサムネイル画像よりも薄い濃度で表示する例を説明したが、編集が施された画像のサムネイル画像を、未編集の画像のサムネイル画像よりも濃い濃度で表示するようにしてもよい。あるいは、どちらか一方のサムネイル画像を薄墨表示とし、他方のサムネイル画像を薄墨非表示とするようにしてもよい。
【０１９２】
さらに、図２１の編集が施されたことを示す表示としての異なる濃度や薄墨表示による異なる表示と、図１９の編集が施されたことを示す表示の重畳とを併用するようにしてもよい。
【０１９３】
図２２は、編集が施されたことを示す表示のさらに他の表示例を示す図である。
【０１９４】
図２２の例においては、編集画面のうち、編集対象選択部４１１と編集画像表示部４１２が示されている。編集対象選択部４１１には、落書き中の編集画像Ａのサムネイル画像Ａと、未編集の画像のサムネイル画像Ｂ乃至Ｅ、編集済みの画像のサムネイル画像Ｆが表示されている。
【０１９５】
サムネイル画像Ｆには、矢印に示されるように、編集が施されたことを示す表示として、ペンボタン４６１、スタンプボタン４６２、および背景ボタン４６３が薄く重畳表示されている。すなわち、ペンボタン４６１、スタンプボタン４６２、および背景ボタン４６３は、サムネイル画像Ｆに編集が施された後、サムネイル画像Ｆ以外のサムネイル画像Ａが選択され、サムネイル画像Ｆが対応する編集画像に対して編集が施されたと判定されて、サムネイル画像Ｆ上に表示される。
【０１９６】
ペンボタン４６１、スタンプボタン４６２、および背景ボタン４６３は、重畳されているサムネイル画像を選択し、選択したサムネイル画像が対応する編集対象画像を、編集画像として、編集画像表示部４１２に表示させるとともに、その編集に使用する編集ツールを選択するGUIである。すなわち、ペンボタン４６１、スタンプボタン４６２、および背景ボタン４６３の何れかを押下するだけで、サムネイル画像（すなわち、編集画像）の選択と編集ツールの選択とを行うことが可能なGUIである。
【０１９７】
利用者は、タッチペン１３２を操作して、いずれか１つのボタンを押下する。これに対応して、編集画像表示部４１２には、サムネイル画像Ｆが選択され、サムネイル画像Ｆに対応する編集対象画像が編集画像として表示されるとともに、押下されたボタンに対応する編集ツールがその編集に用いる編集ツールとしてコンテンツパレット４１６に表示される。これにより、編集が施されていることが容易にわかるとともに、編集画面４０１の編集ツール選択部４１５において編集ツールを選択する１工程を省くことができる。
【０１９８】
なお、図２２の例においては、ペンボタン４６１、スタンプボタン４６２、および背景ボタン４６３が表示される例を示したが、これらのボタンに限らない。例えば、統計的に使用頻度が多い編集ツールに対応するボタンであってもよいし、メインに設定されている編集ツールに対応するボタンであってもよい。また、そのサムネイル画像に対応する画像の編集で用いられたボタンであってもよい。
【０１９９】
また、図２２の例においては、編集が施されたことを示す表示として、各ボタンをサムネイル画像に表示するようにしたが、逆に、未編集のサムネイル画像に各ボタンを表示し、編集が施されたことを示す表示として、編集が施されたサムネイル画像のボタン表示を禁止するようにしてもよい。なお、この場合、重畳されている編集ツールのボタンからの編集ができなくなるだけであり、編集画面４０１の編集ツール選択部４１５を用いての編集は可能である。
【０２００】
また、上述した各ボタンは、落書き中の画像に対応するサムネイル画像以外の全サムネイル画像に表示させることもできる。この場合、編集が施されたことを示す表示としては、その編集に用いられた編集ツールが対応するボタンを消す制御を行ってもよいし、あるいは、これらのボタンと、図１９および図２１を参照して上述した編集が施されたことを示す表示とセットで用いるようにしてもよい。
【０２０１】
すなわち、これらのボタンと、図１９の編集が施されたことを示す表示４４１の重畳とをセットで用いるようにしてもよい。また、これらのボタンと、図２１を参照して上述した異なる濃度や薄墨表示とを、編集が施されたことを示す表示としてセットで用いるようにしてもよい。
【０２０２】
図２３は、編集が施されたことを示す表示の他の表示例を示す図である。
【０２０３】
図２３の例においては、編集画面のうち、編集対象選択部４１１と編集画像表示部４１２が示されている。図中左側の編集対象選択部４１１には、落書き中を示す表示４３１が重畳された、落書き中の編集画像Ａのサムネイル画像Ａと、未編集のサムネイル画像Ｂ乃至Ｆが表示されている。
【０２０４】
さらに、図２３の編集画面の場合、編集対象選択部４１１の各サムネイル画像の近傍に、各サムネイル画像に対応した編集ツールのボタン（ペンボタン、スタンプボタン、および背景ボタン）からなる編集ツール選択部４７１が表示されている。また、編集画像表示部４１２には、サムネイル画像Ａが対応する編集対象画像が、編集画像Ａとして表示されている。
【０２０５】
ここで、編集ツール選択部４７１の編集ツールボタンは、近傍に表示されているサムネイル画像を選択し、選択したサムネイル画像が対応する編集対象画像を、編集画像として、編集画像表示部４１２に表示させるとともに、その編集に使用する編集ツールを選択するGUIである。すなわち、編集ツール選択部４７１の何れかの編集ツールボタンを押下するだけで、サムネイル画像（すなわち、編集画像）の選択と編集ツールの選択とを行うことが可能なGUIである。
【０２０６】
例えば、利用者は、タッチペン１３２を操作して、編集対象選択部４１１のサムネイル画像Ａの近傍のペンボタンを押下する。これに対応して、サムネイル画像Ａが選択され、編集画像表示部４１２にサムネイル画像Ａに対応する編集画像Ａが表示されるとともに、押下されたペンボタンに対応する編集ツールがその編集に用いる編集ツールとしてコンテンツパレット４１６に表示される。したがって、利用者は、タッチペン１３２を操作することにより、ペンボタンの機能を用いることが可能になる。すなわち、この場合も、編集画面４０１の編集ツール選択部４１５において編集ツールを選択する１工程を省くことができる。なお、このとき、サムネイル画像Ａには、落書き中を示す表示４３１が重畳されて表示される。
【０２０７】
そして、利用者は、タッチペン１３２を操作して、編集画像表示部４１２において編集画像Ａに対して、「ピース」という編集内容４３２に示されるように落書きを施し、その後、矢印に示されるように、編集対象選択部４１１においてサムネイル画像Ｂを選択する。これに対応して、サムネイル画像Ｂに対応する編集対象画像は、編集画像Ｂとして編集画像表示部４１２に表示される。また、編集対象選択部４１１のサムネイル画像Ｂには、落書き中を示す表示４３１が重畳される。
【０２０８】
さらに、このとき、サムネイル画像Ａ以外の他のサムネイル画像Ｂが選択され、サムネイル画像Ａが対応する編集画像Ａに対して編集が施されたと判定される。これに対応して、編集画面表示制御部３１４は、編集が施されたことを示す表示として、編集対象選択部４１１のサムネイル画像Ａに対応する編集ツール選択部４７１のボタンのうち、実線の楕円に示されるように、対応する編集に用いられたツール（ペンツール）の表示を禁止する。
【０２０９】
すなわち、編集が施されたことを示す表示として、対応する編集に用いられたツールの表示が禁止されるので、編集が施された画像のサムネイル画像と、未編集の画像のサムネイル画像とを簡単に区別することができる。
【０２１０】
これにより、そのサムネイル画像が対応する画像への編集に、利用者間で、異なる編集ツールを用いることを推奨することができるので、限られた編集時間内に、変化に富んだ落書きをお勧めすることができる。
【０２１１】
なお、上記説明においては、編集画像Ａに落書きを施した後に、サムネイル画像Ｂの選択方法として、編集対象選択部４１１においてサムネイル画像Ｂを選択する方法を説明したが、サムネイル画像Ｂの近傍に表示される編集ツール選択部４７１のいずれかのボタンの押下する方法もある。この場合には、サムネイル画像Ｂに対応する編集対象画像が、編集画像Ｂとして編集画像表示部４１２に表示される際に、押下されたボタンに対応する編集ツールがその編集に用いる編集ツールとしてコンテンツパレット４１６に表示されることが異なるだけであり、その他の処理は、編集対象選択部４１１においてサムネイル画像Ｂを選択する方法と同様である。
【０２１２】
図２４は、編集が施されたことを示す表示のさらに他の表示例を示す図である。
【０２１３】
図２４の例においては、編集画面のうち、編集対象選択部４１１と編集画像表示部４１２−１および４１２−２が示されている。編集対象選択部４１１には、落書き中を示す表示４３１が重畳された編集画像Ａのサムネイル画像Ａ、未編集のサムネイル画像Ｂ乃至Ｄ、落書き中を示す表示４３１が重畳された編集画像Ｅのサムネイル画像Ｅが表示されている。
【０２１４】
さらに、図２４の編集画面の場合、編集対象選択部４１１の各サムネイル画像の編集画像表示部４１２−１側の近傍に、各サムネイル画像に対応した編集ツールのボタン（ペンボタン、スタンプボタン、および背景ボタン）からなる編集ツール選択部４７１−１が表示されている。また、編集対象選択部４１１の各サムネイル画像の編集画像表示部４１２−２側の近傍に、各サムネイル画像に対応した編集ツールのボタン（ペンボタン、スタンプボタン、および背景ボタン）からなる編集ツール選択部４７１−２が表示されている。
【０２１５】
そして、編集画像表示部４１２−１には、サムネイル画像Ａが対応する編集対象画像が、編集画像Ａとして表示されている。編集画像表示部４１２−２には、サムネイル画像Ｅが対応する編集対象画像が、編集画像Ｅとして表示されている。
【０２１６】
すなわち、図２３の例の場合、利用者に１つのみ構成されていた編集ツール選択部４７１が、図２４の例においては、利用者毎に編集ツール選択部４７１−１および４７１−２を構成する例が示されている。
【０２１７】
例えば、左側の利用者は、タッチペン１３２Ａを操作して、編集対象選択部４１１のサムネイル画像Ｂの近傍のスタンプボタンを押下する。これに対応して、サムネイル画像Ｂが選択され、編集画像表示部４１２−１にサムネイル画像Ｂに対応する編集画像Ｂが表示されるともに、押下されたスタンプボタンに対応する編集ツールがその編集に用いる編集ツールとしてコンテンツパレット４１６に表示される。したがって、利用者は、タッチペン１３２Ａを操作することにより、スタンプボタンの機能を用いることが可能になる。このとき、サムネイル画像Ｂには、落書き中を示す表示が重畳されて表示される。
【０２１８】
そして、左側の利用者は、タッチペン１３２Ａを操作して、編集画像表示部４１２−１において編集画像Ｂに対して落書きを施し、その後、編集対象選択部４１１において、サムネイル画像Ａを選択する。なお、サムネイル画像Ａの選択方法としては、サムネイル画像Ｅの近傍の編集ツールのボタンであってもよい。これに対応して、編集画面表示制御部３１４は、サムネイル画像Ａに対応する編集対象画像を、編集画像Ａとして編集画像表示部４１２−１に表示さする。また、編集画面表示制御部３１４は、編集対象選択部４１１のサムネイル画像Ａに対して、落書き中を示す表示４３１を重畳して表示する。
【０２１９】
さらに、このとき、サムネイル画像Ｂ以外の他のサムネイル画像Ａが選択され、サムネイル画像Ａが対応する編集画像Ａに対して編集が施されたと判定される。これに対応して、編集画面表示制御部３１４は、編集が施されたことを示す表示として、編集対象選択部４１１のサムネイル画像Ｂに対応する編集ツール選択部４７１−１のボタンのうち、実線の楕円に示されるように、対応する編集に用いられたツール（スタンプツール）の表示を禁止する。
【０２２０】
一方、タッチペン１３２Ｂを操作して、編集対象選択部４１１のサムネイル画像Ｃの近傍のスタンプボタンを押下する。これに対応して、サムネイル画像Ｃが選択され、編集画像表示部４１２−２にサムネイル画像Ｃに対応する編集画像Ｃが表示されるともに、押下されたペンボタンに対応する編集ツールがその編集に用いる編集ツールとしてコンテンツパレット４１６に表示される。したがって、利用者は、タッチペン１３２Ｂを操作することにより、ペンボタンの機能を用いることが可能になる。このとき、サムネイル画像Ｃには、落書き中を示す表示が重畳されて表示される。
【０２２１】
そして、右側の利用者は、タッチペン１３２Ｂを操作して、編集画像表示部４１２−２において編集画像Ｃに対して落書きを施し、その後、編集対象選択部４１１において、サムネイル画像Ｅを選択する。なお、サムネイル画像Ｅの選択方法としては、サムネイル画像Ｅの近傍の編集ツールのボタンであってもよい。これに対応して、編集画面表示制御部３１４は、サムネイル画像Ｅに対応する編集対象画像を、編集画像Ｅとして編集画像表示部４１２−２に表示する。また、編集画面表示制御部３１４は、編集対象選択部４１１のサムネイル画像Ｅに対して、落書き中を示す表示４３１を重畳して表示する。
【０２２２】
さらに、このとき、サムネイル画像Ｃ以外の他のサムネイル画像Ｅが選択され、サムネイル画像Ｅが対応する編集画像Ｅに対して編集が施されたと判定される。これに対応して、編集画面表示制御部３１４は、編集が施されたことを示す表示として、編集対象選択部４１１のサムネイル画像Ｃに対応する編集ツール選択部４７１−２のボタンのうち、実線の楕円に示されるように、対応する編集に用いられたツール（ペンツール）の表示を禁止する。
【０２２３】
すなわち、利用者毎に、編集が施されたことを示す表示として、対応する編集に用いられたツールの表示が禁止されるので、編集が施された画像のサムネイル画像と、未編集の画像のサムネイル画像とを簡単に区別することができる。
【０２２４】
この例の場合も、そのサムネイル画像が対応する画像への編集に、利用者間で、異なる編集ツールを用いることを推奨することができる。これにより、限られた編集時間内に、変化に富んだ落書きをお勧めすることができる。また、図２４の例の場合、図２３の例と比して、利用者間でそれぞれの使ったツールがわかるので、より楽しむことができる。さらに、図２４の例の場合、左右で共通のサムネイル画像に対して、左右それぞれに編集ツールが表示されるので、左右で同じ編集ツールを利用し、それぞれ、編集内容を追加することができる。したがって、よりバラエティに富んだ編集をすることができる。
【０２２５】
なお、図２３および図２４の例の場合も、対応する編集に用いられたツールの表示が禁止されて、そのツールボタンを選んでの編集ができないが、編集する画像を選んだ後に、編集画面４０１の編集ツール選択部４１５を用いて編集することは可能である。
【０２２６】
図２５は、編集画面の他の表示例を示す図である。
【０２２７】
図２５の例においては、編集画面のうち、サムネイル画像Ａ乃至Ｆが表示される編集対象選択部４１１が示されている。編集対象選択部４１１の各サムネイル画像の近傍（図２５の例の場合、各サムネイル画像の下部）に、各サムネイル画像に対応した編集予約ボタンからなる編集予約指示部４７２が表示されている。この編集予約ボタンは、他の利用者に対して、対応する画像の編集操作を禁止するとともに、その編集を予約していることを他の利用者に知らせるためのボタン(GUI)である。
【０２２８】
なお、図２５の例においては、編集対象選択部４１１には、編集内容が反映されていないサムネイル画像、または、編集が施されたことを示す表示がなされているサムネイル画像が表示されているものとする。これらの場合、編集中ではないサムネイル画像を選択することで、対応する編集対象画像が、編集画像として編集画像表示部４１２に表示される。
【０２２９】
例えば、利用者が、タッチペン１３２Ａを操作して、編集画像表示部４１２−１において編集画像Ａに対して落書きを施しているときに、他の利用者は、タッチペン１３２Ｂを操作して、編集対象選択部４１１のサムネイル画像Ｃを選択する。これに対応して、編集画面表示制御部３１４は、サムネイル画像Ｃに対応する編集対象画像を、編集画像Ｃとして編集画像表示部４１２−２に表示する。これにより、他の利用者は、編集画像Ｃに対して落書きを施すことができる。
【０２３０】
これに対して、編集画像表示部４１２−１で編集画像Ａに対して落書きを施している利用者は、次に、サムネイル画像Ｃに対応する編集対象画像を編集したい場合、タッチペン１３２Ａを操作して、編集対象選択部４１１のサムネイル画像Ｃの近傍にある、編集予約指示部４７２の編集予約ボタンを押下する。編集画面表示制御部３１４は、サムネイル画像Ｃの予約を示す表示として、サムネイル画像Ｃの近傍にある編集予約ボタンの色を、例えば、ハッチングに示されるように変更表示する。
【０２３１】
そして、この場合、編集予約ボタンを押下した利用者が、編集対象選択部４１１のサムネイル画像Ｃをタッチペン１３２Ａにより押下すると、サムネイル画像Ｃが選択される。
しかしながら、他の利用者が編集対象選択部４１１のサムネイル画像Ｃをタッチペン１３２Ｂにより押下しても、サムネイル画像Ｃは選択されず、編集画面表示制御部３１４は、サムネイル画像Ｃに対応する編集対象画像を、編集画像Ｃとして編集画像表示部４１２−２に表示させない。すなわち、編集予約ボタンを押した利用者以外の他の利用者に対して、サムネイル画像Ｃに対応する編集対象画像の編集が禁止される。
【０２３２】
これより、編集したい画像を、他の利用者が編集しないように前もって予約することができる。すなわち、他の利用者の編集を防ぐことができる。
【０２３３】
なお、図２５の例においては、編集予約ボタンの例を説明したが、これに限定されず、例えば、編集対象選択部４１１の各サムネイル画像の近傍に配置されるのは、各編集完成ボタンからなる編集完了指示部などであってもよい。この編集完成ボタンは、対応する画像の編集操作を禁止するとともに、その編集が完成していることを他の利用者に知らせるためのボタン(GUI)である。
【０２３４】
この場合、例えば、自分が編集した後に、対応するサムネイル画像近傍の編集完了ボタンを押下することで、自分にとって完璧な編集内容を、他の利用者がさらに編集することを防ぐことができる。
【０２３５】
なお、編集予約ボタンによる予約の解除方法としては、予約中のサムネイル画像とは異なる他のサムネイル画像が選択されたときに、その予約を解除するようにしてもよい。また、他のサムネイル画像を選択した場合の他に、所定の時間（例えば、１５秒程度）が経過しても、予約中のサムネイル画像に対して何も操作がなければ、その予約を解除するようにしてもよい。
【０２３６】
さらに、編集完了ボタンの完了の解除方法も、上述した予約の解除方法と同様に、他のサムネイル画像が選択されたとき、あるいは、所定の時間が経過しても完了中のサムネイル画像に対して何も操作がなければ、その完了を解除するようにしてもよい。
【０２３７】
以上のように、他の利用者の編集操作を制御することができる。これにより、他の利用者の編集を防ぐことができる。
【０２３８】
なお、上記説明においては、編集対象選択部４１１には、編集内容が反映されていないサムネイル画像、または、編集が施されたことを示す表示がなされているサムネイル画像が表示されている例を説明した。すなわち、上記説明においては、編集対象選択部４１１において、サムネイル画像を選択した場合に、対応する編集対象画像が編集画像として編集画面に表示されていた。
【０２３９】
これに対して、編集対象選択部４１１に、編集内容が反映されているサムネイル画像が表示されている場合には、編集画面表示制御部３１４は、編集中ではないサムネイル画像を選択しても、対応する編集対象画像を、編集画像として表示させない。このような場合には、上述した編集予約ボタンや編集完了ボタンの代わりに、各サムネイル画像に対応した落書き指示ボタンが、編集対象選択部４１１の各サムネイル画像の近傍に配置される。
【０２４０】
この落書き指示ボタンは、近傍のサムネイル画像を選択するためのボタン(GUI)であり、その選択されたサムネイル画像に対応する編集対象画像を、編集画像として選択することができる。すなわち、利用者が、この落書き指示ボタンを押下することにより、編集内容が反映されているサムネイル画像が選択され、編集画面表示制御部３１４は、選択されたサムネイル画像が対応する編集対象画像を、編集画像として編集画像表示部４１２に表示する。その結果、利用者は、編集作業を行うことができる。
【０２４１】
さらに、次の図２６を参照して説明するように、この落書き指示ボタンを、図２５の編集予約ボタンと組み合わせて用いることもできる。
【０２４２】
図２６は、編集画面のさらに他の表示例を示す図である。
【０２４３】
図２６の例においては、編集画面のうち、サムネイル画像Ａ乃至Ｆが表示される編集対象選択部４１１が示されている。編集対象選択部４１１の各サムネイル画像の近傍に、各サムネイル画像に対応した編集操作ボタンからなる編集予約指示部４７２が表示されている。
【０２４４】
さらに、編集画像表示部４１２−１には、サムネイル画像Ｄに対応する編集画像Ｄが表示されており、編集画像表示部４１２−２には、サムネイル画像Ｂに対応する編集画像Ｂが表示されている。
【０２４５】
なお、図２６の例の場合、編集対象選択部４１１においては、サムネイル画像が表示されているだけであり、サムネイル画像がタッチペンなどにより押下されても、サムネイル画像は選択されず、画像が編集対象とはならない。サムネイル画像を選択するためには、編集予約指示部４７２の編集操作ボタンを操作する必要がある。
【０２４６】
この編集操作ボタンは、近傍のサムネイル画像を選択するボタン(GUI)であり、そのボタンに重畳される表示内容によって、選択したサムネイル画像が対応する編集対象画像が編集対象として選択されたり、あるいは、選択したサムネイル画像が対応する編集対象画像が次に編集する画像として予約される。
【０２４７】
すなわち、編集操作ボタンは、近傍のサムネイル画像の編集画像が編集されていない場合、サムネイル画像Ａ，Ｃ，Ｅ，Ｆの近傍の編集操作ボタンに示されるように、ボタンの表示内容が、「指示」である。編集操作ボタン上に「指示」と表示されているとき、利用者は、この編集操作ボタンを選択することで、選択された編集操作ボタンの近傍のサムネイル画像を選択し、選択したサムネイル画像の編集対象画像を、編集画像として選択することができる。
【０２４８】
一方、対応するサムネイル画像が選択されると、サムネイル画像Ｂ，Ｄの近傍の編集操作ボタンに示されるように、ボタンの表示内容が、「予約」に変わる。編集ボタン上に「予約」と表示されているとき、その画像を編集していない他の利用者は、編集操作ボタンを選択することで、選択された編集操作ボタンの近傍のサムネイル画像の編集対象画像を、次に編集する画像として予約することができる。
【０２４９】
図２６の例の場合、サムネイル画像Ｄが対応する編集対象画像が編集画像Ｄとして、編集画像表示部４１２−１に表示されており、左側の利用者に編集されている。したがって、サムネイル画像Ｄの近傍の編集ボタンには、「予約」が重畳表示されている。同様に、サムネイル画像Ｂが対応する編集対象画像が編集画像Ｂとして、編集画像表示部４１２−２に表示されており、右側の利用者に編集されている。したがって、サムネイル画像Ｂの近傍の編集ボタンにも、「予約」が重畳表示されている。
【０２５０】
例えば、編集画像Ｄを編集中の左側の利用者が、タッチペン１３２Ａを操作して、サムネイル画像Ａの近傍にあり、「指示」が表示される編集操作ボタンを押下する。これに対応して、編集画面表示制御部３１４は、サムネイル画像Ａを選択し、選択したサムネイル画像Ａが対応する編集対象画像を編集画像Ａとして、編集画像表示部４１２−１に表示させる。これにより、左側の利用者は、編集作業を行うことができる。このとき、サムネイル画像Ａの近傍にある編集操作ボタンの表示内容は、「予約」に変わり、それまで、編集していた画像に対応するサムネイル画像の近傍の編集操作ボタンの表示内容は、「指示」に変わる。
【０２５１】
また、例えば、右側の利用者が、サムネイル画像Ｂに対応する編集画像Ｂを編集している場合に、編集画像Ｄを編集中の左側の利用者が、タッチペン１３２Ａを操作して、サムネイル画像Ｂの近傍にあり、「予約」が表示される編集操作ボタンを押下する。これに対応して、編集画面表示制御部３１４は、サムネイル画像Ｂの近傍にある編集操作ボタンの表示内容を、「予約中」に変更し、現在、サムネイル画像Ｂを編集中の右側の利用者以外の編集操作を禁止する。
【０２５２】
そして、右側の利用者が、例えば、タッチペン１３２Ｂを操作して、サムネイル画像Ｅの近傍にあり、「指示」が表示される編集操作ボタンを押下し、編集画像Ｂの編集を終了する。これに対応して、編集画面表示制御部３１４は、サムネイル画像Ｅを選択し、選択したサムネイル画像Ｅが対応する編集対象画像を編集画像Ｅとして、編集画像表示部４１２−２に表示させる。これと同時に、編集画面表示制御部３１４は、例えば、編集画像Ｂを予約中の左側の利用者が編集画像Ｄを編集中の編集画像表示部４１２−１の上部に、「編集画像Ｂの落書きができます。画像をチェンジしますか？」のメッセージと、「Ｙｅｓ」ボタン、および「Ｎｏ」ボタンのGUIを所定の時間（例えば、１５秒程度）、表示させる。
【０２５３】
そして、左側の利用者が、タッチペン１３２Ａを操作して、「Ｙｅｓ」ボタンを押下すると、編集画面表示制御部３１４は、サムネイル画像Ｂを選択し、編集画像表示部４１２−１に、サムネイル画像Ｂの編集画像Ｂを表示させる。
【０２５４】
一方、左側の利用者が、タッチペン１３２Ａを操作して、「Ｎｏ」ボタンを押下する、または、「Ｙｅｓ」ボタンまたは「Ｎｏ」ボタンが押下されずに所定の時間が経過すると、サムネイル画像Ｂの予約は取り消され、編集画面表示制御部３１４は、サムネイル画像Ｂの近傍の編集操作ボタンの表示内容を、「指示」に変更する。  
【０２５５】
なお、図２６の例においては、図示されていないが、編集対象選択部４１１のサムネイル画像Ｂには、「右の人が編集中」、サムネイル画像Ｄには、「左の人が編集中」と重畳表示されるようにしてもよい。
【０２５６】
また、図２６の例の編集対象選択部４１１のサムネイル画像には、編集内容および編集が施されたことを示す表示がなされていてもよいし、そのうちの１つの表示だけがなされていてもよいし、または、その両方の表示がなされていてもよい。
【０２５７】
ここで、従来の写真シール機においては、画像を編集する際に、他の利用者が満足いくものであれば、追加編集することが困難であったり、編集したい画像を、他の利用者が先に編集してしまったり、あるいは、自分の編集以外に追加編集されたくない画像に対しても、他の利用者により編集されてしまう場合があった。すなわち、従来の写真シール機においては、画像の編集操作に不便なところがあった。
【０２５８】
これに対して、写真シール機１においては、上述した編集予約ボタン、編集完了ボタン、落書き指示ボタン、および編集操作ボタンなどを設けるようにしたので、利用者に満足のいく編集操作を提供することができる。したがって、利用者は、編集したい画像を予約することができたり、完璧な編集内容にさらに他の利用者により編集されてしまうことを防ぐことができる。すなわち、利用者は、満足のいく編集を行うことができる。
【０２５９】
なお、図２３乃至図２５の例においては図示されていないが、編集対象選択部４１１における編集済みのサムネイル画像には、図１９や後述する図２７の編集が施されたことを示す表示の重畳、または図２１の編集が施されたことを示す表示としての異なる濃度や薄墨表示による異なる表示などを併用することもできる。
【０２６０】
図２７は、編集が施されたことを示す表示の他の表示例を示す図である。
【０２６１】
図２７の例においては、編集画面のうち、編集対象選択部４１１が示されている。編集対象選択部４１１には、サムネイル画像Ａ乃至Ｆが表示されている。これらのサムネイル画像のうち、サムネイル画像Ａには、左（Ｌ）側の利用者により編集が施されたことを示す表示として、濃い色の枠４７３−１が左側に付加されて表示されている。サムネイル画像Ｂには、右（Ｒ）側の利用者により編集が施されたことを示す表示として、薄い色の枠４７３−２が右側に付加されて表示されている。
【０２６２】
以上のように、利用者別に、編集が施されたことを示す表示を行うことも可能である。
【０２６３】
なお、サムネイル画像Ａの枠４７３−１も、サムネイル画像Ｂの枠４７３−２も、図１９を参照して上述した編集が施されたことを示す表示と同様に、他のサムネイル画像が選択されて、かつ、対応する編集画像に編集が施された場合に表示される。
【０２６４】
上記説明においては、利用者別に、異なる色枠で、編集が施されたことを示す表示を行う例を説明したが、枠でなくてもよく、利用者別の表示を重畳してもよい。また、その表示は、編集した人がわかるものであればよく、例えば、編集前や編集途中に名前などを入力できる場合には、その名前を表示するようにしてもよい。
【０２６５】
図２８は、編集対象選択部４１１に表示されるサムネイル画像の構成例を示す図である。
【０２６６】
図２８の例の場合、編集画像のサムネイル画像のレイヤー４８１上に、編集が施されたことを示す表示としての「済」マークのみの済マークレイヤー４８２と、編集内容のみのレイヤー４８３が重畳表示される。
【０２６７】
これにより、編集対象選択部４１１には、「済」マークと、編集内容とが重畳されたサムネイル画像４８４が表示される。
【０２６８】
なお、図２８の例においては、サムネイル画像のレイヤー４８１と、済マークレイヤー４８２とが別々のレイヤーで構成されているが、サムネイル画像のレイヤー４８１と、済マークレイヤー４８２とを合成画像のレイヤーとして構成するようにしてもよい。この場合、合成画像のレイヤーに対して、編集内容のみのレイヤー４８３が重畳表示されることになる。
【０２６９】
また、図２８の例においては、編集が施されたことを示す表示として、「済」マークが重畳される例を説明したが、済マークレイヤー４８２の代わりに、図２９に示されるように、「済」マークが付された枠のみの済枠レイヤー４８５を重畳することもできる。この場合、編集対象選択部４１１には、「済」マークが付された枠と、編集内容とが重畳されたサムネイル画像４８６が表示される。
【０２７０】
図３０および図３１は、編集対象選択部におけるサムネイル画像の他の表示例を示す図である。
【０２７１】
図３０の例における編集対象選択部４１１のサムネイル画像４８４は、サムネイル画像のレイヤー４８１に対して、「済」マークと、「左の人落書き済」の文字が付された矢印とからなる済マークレイヤー４８２が、点線矢印に示されるように、編集を行った利用者側に（右から左に）スイング表示するように表示が制御されている。
【０２７２】
図３１の例における編集対象選択部４１１のサムネイル画像４８４は、サムネイル画像のレイヤー４８１に対して、済マークレイヤー４８２だけでなく、編集内容のみのレイヤー４８３も、編集を行った利用者側に（右から左に）スイング表示するように表示が制御されている。
【０２７３】
これにより、どの利用者がどのサムネイル画像を編集したかがわかりやすく、また、どの利用者が何枚編集したかも容易に認識することができる。
【０２７４】
なお、図３０および図３１の例においては、左右にスイング表示する例を説明したが、上下にスイング表示を行うようにしてもよい。
【０２７５】
さらに、編集対象選択部４１１においては、図３２の点線矢印に示されるように、サムネイル画像のレイヤー４８１に対して、済マークレイヤー４８２を円形移動させながらサムネイル画像４８４を表示するようにしてもよい。
【０２７６】
なお、図３２の例の場合、図３１の例と同様に、済みマークレイヤー４８２だけでなく、編集内容のみのレイヤー４８３も、サムネイル画像のレイヤー４８１に対して、円形移動するように表示させてもよい。また、この円形移動の移動方向も、編集を行った利用者に対応して右回転、左回転と回転の方向を変えるようにしてもよい。
【０２７７】
図３３は、編集画面の編集対象選択部の他の構成例を示す図である。
【０２７８】
編集対象選択部４１１において、編集対象画像のサムネイル画像Ａ乃至Ｆが表示されている。図３３の例においては、さらに、サムネイル画像が対応する編集対象画像に編集が施されている場合、サムネイル画像の近傍に、対応する編集内容のみのサムネイル画像も表示されている。
【０２７９】
すなわち、サムネイル画像Ａの近傍には、サムネイル画像Ａが対応する編集対象画像に施された編集内容のみのサムネイル画像ａが表示されている。サムネイル画像Ｃの近傍には、サムネイル画像Ｃが対応する編集対象画像に施された編集内容のみのサムネイル画像ｃが表示されている。サムネイル画像Ｄの近傍には、サムネイル画像Ｄが対応する編集対象画像に施された編集内容のみのサムネイル画像ｄが表示されている。
【０２８０】
また、サムネイル画像Ｂ、サムネイル画像Ｅ、およびサムネイル画像Ｆの場合、対応する編集対象画像に編集が施されていないので、それらの近傍に、編集内容のみのサムネイル画像は表示されていない。
【０２８１】
なお、図３３の例の場合、編集対象画像のサムネイル画像に対して、編集内容のみのサムネイル画像が少し小さめで表示するようにしたが、その表示サイズはこれに限定されない。また、サムネイル画像の近傍に編集内容のみのサムネイル画像を表示する例を示したが、サムネイル画像と、編集内容のみのサムネイル画像を切り替えてアニメーション表示をするようにしてもよい。
【０２８２】
図３４は、編集画面の編集対象選択部の他の構成例を示す図である。
【０２８３】
編集対象選択部４１１において、編集対象画像のサムネイル画像Ａ乃至Ｆが表示されている。図３４の例においては、さらに、サムネイル画像が対応する編集対象画像に対して、タブレット内蔵モニタ１３１に向かって左側に位置する利用者により編集が施されている場合、サムネイル画像の左近傍に、対応する編集内容のみのサムネイル画像が表示されている。また、サムネイル画像が対応する編集対象画像に対して、タブレット内蔵モニタ１３１に向かって右側に位置する利用者により編集が施されている場合、サムネイル画像の右近傍に、対応する編集内容のみのサムネイル画像が表示されている。
【０２８４】
すなわち、サムネイル画像Ａの左近傍に、左側に位置する利用者によりサムネイル画像Ａが対応する編集対象画像に施された編集内容のみのサムネイル画像ａが表示されており、サムネイル画像Ａの右近傍に、右側に位置する利用者によりサムネイル画像Ａが対応する編集対象画像に施された編集内容のみのサムネイル画像ａ´が表示されている。
【０２８５】
サムネイル画像Ｃの右近傍に、右側に位置する利用者によりサムネイル画像Ｃが対応する編集対象画像に施された編集内容のみのサムネイル画像ｃ´が表示されている。サムネイル画像Ｄの左近傍に、左側に位置する利用者によりサムネイル画像Ｄが対応する編集対象画像に施された編集内容のみのサムネイル画像ｄが表示されている。
【０２８６】
なお、サムネイル画像Ｂ、サムネイル画像Ｅ、およびサムネイル画像Ｆについては、対応する編集対象画像に編集が施されていないので、編集内容のみのサムネイル画像は表示されていない。
【０２８７】
図３５は、編集画面の編集対象選択部のさらに他の構成例を示す図である。
【０２８８】
図３５の例の場合、左側の編集対象選択部４１１において、編集対象画像のサムネイル画像Ａ乃至Ｆが表示されている。ここで、利用者は、タッチペン１３２を操作して、黒枠４９１が示すサムネイル画像Ａを押下する。これに対応して、編集画面表示制御部３１４は、サムネイル画像が対応する編集対象画像に編集が施されている場合、黒枠４９２が示すように、サムネイル画像Ａから、対応する編集内容のみのサムネイル画像ａに切り替えて表示させる。
【０２８９】
その後、利用者により黒枠４９２が示すサムネイル画像ａが押下されることにより、サムネイル画像ａ（サムネイル画像Ａ）が選択され、サムネイル画像Ａが対応する編集対象画像は、編集画像表示部４１２に表示され、編集することが可能になる。
【０２９０】
なお、図３５においては、サムネイル画像を選択することにより、対応する編集内容のみのサムネイル画像を表示するようにしたが、編集対象選択部４１１の近傍に、編集内容の確認ボタンを設定しておき、それを押下することで、全サムネイル画像が、編集内容のみのサムネイル画像に切り替えて表示されるようにしてもよい。
【０２９１】
この場合、編集されていない画像の編集内容のみのサムネイル画像は、何も表示されていないものであってもよいし、未編集という文字を表示されているものであってもよい。
【０２９２】
なお、上述した図３３乃至図３５においては、図示されていないが、編集が施されているサムネイル画像には、上述した編集が施されていることを示す表示のうち、少なくとも何れか１つがなされているものとする。
【０２９３】
また、図１９乃至図３５を参照して上述した表示方法は、それぞれ併用することが可能である。
【０２９４】
以上のように、編集画像のサムネイル画像以外の他のサムネイル画像が選択され、かつ、その編集画像に、編集が施されていると判定された場合に、編集画像のサムネイル画像に対して、編集が施されていることを示す表示を行うようにした。これにより、利用者が複数の場合に、利用者同士で、どの画像が編集されているのかを一目でわかるようになる。この結果、満足のいく編集操作やゲームを利用者に対して提供することができる。
【０２９５】
なお、この編集が施されていることを示す表示は、例えば、編集画面４０１の制御指示受付部４１４の「けしゴム」ボタン、「最初から」ボタン、または「戻る」ボタンなどにより、編集作業がやり直しとなり、かつ、編集内容が何もないと判定された場合に、消去（その表示が禁止）される。
【０２９６】
この場合の編集処理について、図３６のフローチャートを参照して説明する。なお、図３６のステップＳ７１乃至Ｓ７７およびステップＳ８０乃至Ｓ８２は、図１３のステップＳ３１乃至Ｓ３７およびステップＳ４０乃至Ｓ４２と同じであり、繰り返しになるので、その説明を省略する。
【０２９７】
入力受付部３１３は、ステップＳ７８において、タブレット内蔵モニタ１３１より供給される入力信号に基づき、制御指示受付部４１４において、所定のボタンが選択されたか否かを判定する。この所定のボタンとは、例えば、上述した「けしゴム」ボタン、「最初から」ボタン、または「戻る」ボタンなどである。
【０２９８】
所定のボタンが選択されたと判定された場合、編集画面表示制御部３１４は、ステップＳ３９において、タブレット内蔵モニタ１３１に表示される編集画面の更新処理を行う。
【０２９９】
この編集画面の更新処理について、図３７のフローチャートを参照して説明する。
【０３００】
ステップＳ９１において、入力受付部３１３は、図３６のステップＳ７８において選択されたと判定されたボタンにより、編集画像の編集内容が何もなくなったか否かを判定する。ステップＳ９１において、編集画像の編集内容が何もなくなったと判定された場合、処理は、ステップＳ９２に進む。
【０３０１】
ステップＳ９２において、編集画面表示制御部３１４は、タブレット内蔵モニタ１３１に、対応するサムネイル画像上の、編集を施したことを示す表示を禁止して、編集画面を表示させる。その後、処理は、図３６のステップＳ７６に戻り、それ以降の処理が繰り返される。
【０３０２】
ステップＳ９１において、編集画像の編集内容がまだあると判定された場合、ステップＳ９２の処理はスキップされ、処理は、図３６のステップＳ７６に戻り、それ以降の処理が繰り返される。
【０３０３】
本発明の実施の形態は、上述した実施の形態に限定されるものではなく、本発明の要旨を逸脱しない範囲において種々の変更が可能である。
【符号の説明】
【０３０４】
１  写真シール機，  １２  編集部，  ２０１  制御部，  ３０２  編集処理部，  ３１１  進行制御部，  ３１２  編集準備処理部，  ３１３  入力受付部，  ３１４  編集画面表示制御部，  ３１５  落書き編集処理部
【図１】
0005549770.tif 000002
【図２】
0005549770.tif 000003
【図３】
0005549770.tif 000004
【図４】
0005549770.tif 000005
【図５】
0005549770.tif 000006
【図６】
0005549770.tif 000007
【図７】
0005549770.tif 000008
【図８】
0005549770.tif 000009
【図９】
0005549770.tif 000010
【図１０】
0005549770.tif 000011
【図１１】
0005549770.tif 000012
【図１２】
0005549770.tif 000013
【図１３】
0005549770.tif 000014
【図１４】
0005549770.tif 000015
【図１５】
0005549770.tif 000016
【図１６】
0005549770.tif 000017
【図１７】
0005549770.tif 000018
【図１８】
0005549770.tif 000019
【図１９】
0005549770.tif 000020
【図２０】
0005549770.tif 000021
【図２１】
0005549770.tif 000022
【図２２】
0005549770.tif 000023
【図２３】
0005549770.tif 000024
【図２４】
0005549770.tif 000025
【図２５】
0005549770.tif 000026
【図２６】
0005549770.tif 000027
【図２７】
0005549770.tif 000028
【図２８】
0005549770.tif 000029
【図２９】
0005549770.tif 000030
【図３０】
0005549770.tif 000031
【図３１】
0005549770.tif 000032
【図３２】
0005549770.tif 000033
【図３３】
0005549770.tif 000034
【図３４】
0005549770.tif 000035
【図３５】
0005549770.tif 000036
【図３６】
0005549770.tif 000037
【図３７】
0005549770.tif 000038